(57)【要約】【課題】  特に一覧表示、インデックス印刷及びスライドショー表示等で大量の画像を表示する場合、画像間の区切れや、その区切りの意味を明確に把握することができない。【解決手段】  一連の撮影画像の撮影情報を取得し、一連の撮影画像の間に、所定の条件を満たす区切り（たとえば撮影日の違い）が有るかを、取得した撮影情報に基づいて判別する。所定の条件を満たす区切りがある場合には、区切りとした所定の条件が視覚的に把握できるように表示した区切り画像を、区切りとなる撮影画像間に作成する。これにより、特に大量の画像を一覧表示及びインデックス印刷した場合、画像間の区切れや、その区切りの意味を直感的に把握できる。【選択図】  図３
2008244778.tif 000002
【特許請求の範囲】
【請求項１】
撮影画像の撮影情報を取得する取得手段と、
一連の撮影画像の間に所定の条件を満たす区切りがあるか否かを、前記取得手段により取得された前記一連の撮影画像の撮影情報に基づいて判別する判別手段と、
前記判別手段により前記一連の撮影画像の間に区切りがあると判別された場合、前記所定の条件を示す画像を、前記区切りに作成する区切り画像作成手段と、
を有することを特徴とする画像処理装置。
【請求項２】
撮影画像の撮影情報を取得する取得工程と、
一連の撮影画像の間に所定の条件を満たす区切りがあるか否かを、前記取得工程で取得された前記一連の撮影画像の撮影情報に基づいて判別する判別工程と、
前記判別工程で前記一連の撮影画像の間に区切りがあると判別された場合、前記所定の条件を示す画像を、前記区切りに作成する区切り画像作成工程と、
を有することを特徴とする画像処理方法。
【請求項３】
撮影画像の撮影情報を取得する取得工程と、
一連の撮影画像の間に所定の条件を満たす区切りがあるか否かを、前記取得工程で取得された前記一連の撮影画像の撮影情報に基づいて判別する判別工程と、
前記判別工程で前記一連の撮影画像の間に区切りがあると判別された場合、前記所定の条件を示す画像を、前記区切りに作成する区切り画像作成工程と、
をコンピュータに実行させることを特徴とするプログラム。
【請求項４】
請求項３のプログラムを記憶したことを特徴とするコンピュータ読み取り可能な記憶媒体。
【請求項５】
前記撮影情報は画像が撮影された撮影日であり、前記所定の条件は、異なる撮影日に撮影されたこと、であることを特徴とする請求項１の画像処理装置。
【請求項６】
前記区切り画像作成手段により作成される画像は、前記所定の条件を文字情報で示すことを特徴とする請求項１の画像処理装置。
【発明の詳細な説明】
【技術分野】
【０００１】
本発明は、画像処理装置において、区切りとなる条件を示した区切り画像を作成する方法に関する。
【背景技術】
【０００２】
近年、画像撮影装置やブロードバンドネットワークの普及に伴い、撮影された画像の画像管理装置での閲覧、編集、ネットワーク上での公開や、画像印刷装置での印刷など、使用者が画像を用いて行える操作が多様化してきている。それに伴い、大量の画像を容易に管理及び印刷できる画像管理装置や画像印刷装置を利用する需要が高まっている。
【０００３】
その需要に応える技術として、インデックス印刷を容易に作成し、それを基に画像の検索を迅速に行うことを可能にする技術がある。その例としては、記憶媒体から撮影日、撮影月ごとの先頭画像抽出、指定された撮影日の全画像抽出等の条件が表示され、使用者により選択された条件で画像を抽出する方法がある（特許文献１参照）。
【０００４】
また、大量に撮影された画像の整理を簡単に行うことを可能にする技術がある。その例としては、記憶装置内に作成されたフォルダに対して撮影に関する条件を設定して、撮影画像を記憶装置へ格納する際には、ファルダに設定された条件を反映して格納する方法がある（特許文献２参照）。
【０００５】
また更に、撮影した画像とその属性（撮影日など）の関連付けを視覚的にわかり易く管理できる技術がある。その例としては画像の外枠や、画像の属性を示した文字表示部を、画像の属性と関係付けられた表示色で色分けして表示する方法がある。（特許文献３参照）
【特許文献１】特開２００５−０７２８５２号公報
【特許文献２】特開２００２−１９９３１２号公報
【特許文献３】特開２００３−０５２００４号公報
【発明の開示】
【発明が解決しようとする課題】
【０００６】
特許文献１記載の技術は、あらかじめ指定された条件を含む画像ファイルだけを抽出する方法である。そのため、撮影日時ごとに画像ファイルを抽出して表示、印刷することは可能である。また特許文献２記載の技術は、条件設定を反映させて撮影画像をフォルダに格納できるので、画像の整理が簡単になる。
【０００７】
しかしながらこれらの技術では、特にスライドショー表示、一覧表示、及びインデックス印刷などで大量の画像を見たときに、撮影日の違い等、画像間の区切りが分かり難いという問題がある。
【０００８】
更に特許文献３の技術では、撮影日などの画像の属性に応じて画像の外枠や文字表示部が色分けして表示されるので、画像間の区切りを視覚的にわかり易く表示できる。
【０００９】
しかしながら画像が色分けして表示されていても、表示色と属性の関係が明確でなく、その区切りの意味が視覚的にわかり難くいという問題がある。
【００１０】
したがって使用者が区切りの意味を理解するためには、文字表示部を表示させ、使用者がこれを見なければならない。
【００１１】
しかしこの場合、画像の表示面積を考慮して、文字表示部は限られた面積で表示せざるを得ないので、区切りの意味を把握するのは困難である。特に全画面表示に比べて１つの画像の表示が小さいインデックス印刷や画像の一覧表示において、区切りの意味を把握するのはより困難となる。
【００１２】
また特に大量の画像を扱い、画像間の区切りが多い場合、表示色の数を増やさざるを得ない。これにより、区切りであると明確にわかるような色の組み合わせができず、区切りがわかり難くなる場合がある。また同じ表示色を複数回使用することも可能ではあるが、その場合、使用者が同じ表示色で色分けされた画像間に関係があると誤認識してしまう可能性がある。
【００１３】
また本来画像が重要であるにもかかわらず、画像に外枠を設け、更に文字表示部を画像と共に表示する必要があるので、画像の表示面積が狭くなってしまうという問題がある。
【課題を解決するための手段】
【００１４】
請求項１記載の発明は、撮影画像の撮影情報を取得する取得手段と、一連の撮影画像の間に所定の条件を満たす区切りがあるか否かを、前記取得手段により取得された前記一連の撮影画像の撮影情報に基づいて判別する判別手段と、前記判別手段により前記一連の撮影画像の間に区切りがあると判別された場合、前記所定の条件を示す画像を、前記区切りに作成する区切り画像作成手段とを有することを特徴としている。
【００１５】
請求項２記載の発明は、撮影画像の撮影情報を取得する取得工程と、一連の撮影画像の間に所定の条件を満たす区切りがあるか否かを、前記取得工程で取得された前記一連の撮影画像の撮影情報に基づいて判別する判別工程と、前記判別工程で前記一連の撮影画像の間に区切りがあると判別された場合、前記所定の条件を示す画像を、前記区切りに作成する区切り画像作成工程とを有することを特徴としている。
【発明の効果】
【００１６】
本発明は、一連の撮影画像間で所定の条件を満たす区切りがあるかを判断する。そして区切りがある場合、区切りとなる条件が視覚的に把握できるように表示された区切り画像を、区切りに挿入するように作成する。これにより、特に画像のスライドショー表示、一覧表示、及びインデックス印刷等で大量の画像を見たとき、区切り画像を参照することで、撮影画像間の区切りとその区切りの意味を直感的に把握することができる。
【発明を実施するための最良の形態】
【００１７】
以下、図面を参照して本発明を詳細に説明する。
【実施例】
【００１８】
〔第１の実施例〕
本発明は、画像撮影装置により撮影された一連の画像間で、所定の条件を満たす区切りがあるときに区切り画像を作成し、その区切りの位置に挿入して、記憶、再生等を実現するものである。
【００１９】
ここで区切り画像とは、図１の「２００６／０９／２７」と表示された画像のように、一連の撮影画像間で撮影日の違いなどの区切りとなる位置に挿入される画像である。
【００２０】
区切り画像には、区切りの意味（撮影日の違い等）が視覚的に把握できるように、撮影画像の撮影情報（図１では撮影日）に関する項目や、それに加えて使用者が設定した項目が表示される。
【００２１】
撮影画像の撮影情報に関する項目を表示する場合は、区切り前、または区切り後の撮影情報を表示してもよいし、撮影日の違い等の区切りとなる条件を表示してもよいし、区切り前後の画像の関係を示すものでも良い。
【００２２】
なお撮影情報とは、例えば画像データに付加された情報（撮影日、撮影時間等）であってもよいし、画像ファイルのファイルサイズであってもよいし、画像ファイルの種類であってもよいし、公知の技術で画像を分析した結果であってもよい。公知の技術とは、例えば画像間の輝度値の変化に基づいてシーンの変化を検知する技術がある。
【００２３】
表示方法としては図１のように文字情報を表示してもよいし、特にシーンの変化を表す場合などは、イラスト等で表現しても良い。
【００２４】
また図１の「２００６／０９／２６」と表示された画像のように、区切りだけでなく、一連の撮影画像の先頭に画像を挿入してもよい。
【００２５】
図２に本発明の画像処理装置の構成例を、ブロック図で示す。
【００２６】
５０はシステム制御部であり、画像処理装置全体を制御する。
【００２７】
不揮発性メモリ５６は電気的に消去・記憶可能なメモリであり、例えばＥＥＰＲＯＭ等が用いられ、システム制御部５０の動作用の定数、プログラム等を記憶する。
【００２８】
なお、本発明で実行されるプログラムは不揮発性メモリ５６に記憶されており、システム制御部５０で実行される。
【００２９】
５２は、システム制御部５０の動作用の定数、変数、不揮発性メモリ５６から読み出したプログラム等を展開するシステムメモリである。
【００３０】
ＲＡＭ３２は、静止画像を格納するためのメモリである。このＲＡＭ３２は、所定枚数の静止画像を格納するのに十分な記憶容量を備えている。
【００３１】
なお区切り画像を作成する際は、システム制御部５０が、区切り画像を画像データとしてＲＡＭ３２に書き込む。
【００３２】
圧縮／伸張部１６は、適応離散コサイン変換（ＡＤＣＴ）等により画像データを圧縮伸張する。
【００３３】
１００はメモリカードやハードディスク等の記憶媒体であり、画像の記憶、または記憶された画像を読み出すことが可能である。また記憶媒体１００は、画像処理装置内で備えることも、外部から装着されることも可能である。
【００３４】
撮影画像を記憶媒体１００に記憶する際には、圧縮／伸張部１６で撮影画像に圧縮処理を行い、処理を終えたデータをＲＡＭ３２に書き込む。書き込まれた画像データは、システム制御部５０のファイル部においてファイル化され、インターフェース１８を介して記憶媒体１００に記憶される。
【００３５】
また画像を再生する際には、記憶媒体１００から画像が読み込まれ、伸張処理等の処理を終えたデータをＲＡＭ３２に書き込み、これを読み出して不図示の表示装置、表示部等に出力される。
【００３６】
通常表示をする場合には、使用者の指示に応じて記憶媒体１００から画像が読み込まれるが、例えばスライドショー表示では、記憶媒体１００から撮影画像が自動的に読み込まれ、伸張処理等を終えた撮影画像が順に出力される。
【００３７】
２４は画像処理部であり、メモリ制御部１５を介して得られた画像データに対し所定の画素補間、縮小といったリサイズ処理や色変換処理を行う。撮影画像の一覧表示、インデックス印刷では、画像処理部２４で画像が縮小され、レイアウトに配置される。
【００３８】
６０は指示入力部であり、使用者による指示を入力し、システム制御部５０に通知する。
【００３９】
撮影画像のスライドショー表示、一覧表示、インデックス印刷の指示は、指示入力部６０に入力される。
【００４０】
通信部１１０は、ＵＳＢ、ＬＡＮ、無線通信、等の各種通信処理を行う。
【００４１】
コネクタ（無線通信の場合はアンテナ）１１２は、通信部１１０を介して他の機器と接続する。
【００４２】
通信部１１０、コネクタ１１２は、ＲＡＭから読み出された画像の送信、または画像の受信等で使用される。
【００４３】
図３に本発明の画像処理装置で区切り画像を作成する操作手順の例を示す。
【００４４】
まずステップ３０１で、撮影画像の撮影情報を取得する。次にステップ３０２で、一連の撮影画像の間に所定の条件を満たす区切り（撮影日の違い等）が有るかを、ステップ３０１で取得した撮影情報に基づいて判別する。所定の条件（例えば撮影日の違い）を満たす区切りがあると判別された場合には、ステップ３０３で、区切りの意味が視覚的に把握できるように、区切りとした所定の条件（例えば撮影日の違い）を表示した区切り画像を、区切りとなる撮影画像の間に作成する。
【００４５】
なおステップ３０３で作成した区切り画像を、表示装置等に出力して表示させたり、記憶媒体に記憶させたり、他の機器に送信することも可能である。
【００４６】
区切り画像を撮影画像と共に、着脱可能な外部の記憶媒体に記憶させた場合、その記憶媒体を他の機器に装着して読み出せば、撮影画像と同様に区切り画像を再生することが可能になる。つまり区切り画像を作成できない機器においても、区切り画像の表示や印刷が可能になるという効果もある。区切り画像を他の機器に送信した場合も、受信した機器で画像を再生すれば、同様の効果を得ることが出来る。
【００４７】
なお撮影情報とは、例えば画像データに付加された情報（撮影日、撮影時間等）であってもよいし、画像ファイルのファイルサイズ、画像ファイルの種類であってもよいし、公知の技術（例えばシーン検知）で画像を分析した結果であってもよい。
【００４８】
したがって区切りとなる所定の条件は撮影日、撮影月等の違いであってもよいし、ファイルサイズの任意の変化量であってもよいし、画像ファイルの種類の違いであってもよいし、公知の技術で画像を分析した結果の違い（例えばシーンの違い）であってもよい。
【００４９】
例えば、撮影画像の画像ファイルがＥｘｉｆ形式であれば、画像が作成された日時（撮影日、撮影時間）等の情報が画像データの付加情報として記憶されているので、ステップ３０１ではこの付加情報を取得することができる。
【００５０】
〔第２の実施例〕
本実施例は、第１の実施例で述べた画像処理装置を画像撮影装置に適用し、画像の撮影時に区切り画像を作成するものである。
【００５１】
図４は、本実施例における画像撮影装置の外観構成の一例を示す図である。
【００５２】
なお図においては、説明のために不要な構成部分は省略されている。
【００５３】
電源ボタン４０１は、画像撮影装置４００を起動及び停止させるため、或いは、画像撮影装置４００の主電源をＯＮ／ＯＦＦするボタンである。メニューボタン４０２は、各種の撮像条件の設定のため、及び画像撮影装置４００の状態を表示させるためのメニューを表示するためのボタンである。ここで設定が可能なモード或いは項目には、例えばスライドショー表示モード、一覧表示モード、ＰＣ（パーソナルコンピュータ等のコンピュータ）接続モード、プリンタ接続モード、インデックス印刷指示モード、ジャンプ再生モード、単写／連写モード等がある。例えばメニューボタン４０２が押下されると、システム制御回路は画像表示部４０３にメニューを表示させる。
【００５４】
決定ボタン４０４は、モード或いは項目を決定或いは選択する際に押下される。システム制御回路は、決定ボタン４０４が押下されると、そのときに選択されているモード或いは項目を設定する。表示ボタン４０５は、撮像した画像についての撮影情報の表示・非表示を選択したり、画像表示部４０３を電子ファインダーとして機能させるか否かを切り替えたりするために使用される。
【００５５】
左ボタン４０６、右ボタン４０７、上ボタン４０８、下ボタン４０９（方向選択キー）は、カーソルまたはハイライト部等のような、複数の選択肢の中で選択されている選択肢（例えば、項目、画像）を変更するためなどに使用されうる。
【００５６】
シャッターボタン４１０は、撮影が指示されるように構成されうる。
【００５７】
ズームレバー４１１は、撮影モードでは被写体との距離を調節するために使用され、再生モードでは画像表示部４０３に表示された画像を、拡大及び縮小して表示するために使用される。
【００５８】
録画／再生切り替えスイッチ４１２は、撮影モードを再生モードに、及び、再生モードを撮影モードに切り替えるために使用される。
【００５９】
ジャンプキー４１３は方向選択キーと同様の働きをし、カーソルまたはハイライト部等のような、複数の選択肢の中で選択されている選択肢（例えば、項目、画像）を変更するため、または、選択されている選択肢を特定する指標の位置を変更するために使用される。ジャンプキーによるカーソル移動は、方向選択キーによるそれに比べ早く、若しくは大きく設定してもよい。
【００６０】
区切り画像記憶ボタン４１４は、区切り画像の記憶を指示するために使用される。
【００６１】
なお、このような操作系に代えて、ダイアルスイッチを採用してもよいし、他の操作系を採用することもできる。
【００６２】
図５に、図２の画像処理装置が適用された、本実施例の画像撮影装置の構成例をブロック図で示す。
【００６３】
なお図２と同様の働きをするものは同一の符号をつけ、説明を省略する。また、説明のために不要な構成部分は省略されている。
【００６４】
１０３は撮影レンズ、１０１は絞り機能を備えるシャッター、２２は光学像を電気信号に変換するＣＣＤやＣＭＯＳ素子等で構成される撮像部である。２３はＡ／Ｄ変換器であり、撮像部２２から出力されるアナログ信号をデジタル信号に変換する場合に用いられる。
【００６５】
Ａ／Ｄ変換器２３からの出力データは、メモリ制御部１５を介して、或いは画像処理部２４及びメモリ制御部１５を介して、ＲＡＭ３２に書き込まれる。
【００６６】
また、ＲＡＭ３２は画像表示用のメモリを兼ねており、ＲＡＭ３２に書き込まれた表示用の画像データは、ＲＡＭ３２から読み出されてＤ／Ａ変換器１３を介してＬＣＤ等からなる画像表示部４０３により表示される。
【００６７】
ＲＡＭ３２に書き込まれたデータを記憶媒体１００へ記憶される手段は図２の画像処理装置と同様である。また記憶媒体１００に記憶された画像データの消去はシステム制御部５０により制御される。
【００６８】
１２は、Ｄ／Ａ変換器１３にクロック信号や制御信号を供給するタイミング発生部であり、メモリ制御部１５及びシステム制御部５０により制御される。
【００６９】
シャッターボタン４１０、操作部７０はシステム制御部５０に各種の動作指示を入力するための操作手段である。
【００７０】
シャッターボタン４１０は、使用者が押下することで、撮像部２２からの信号読み出しから記憶媒体１００に画像データを書き込むまでの一連の撮像処理の動作開始を指示する。
【００７１】
操作部７０は前述した図４の、メニューボタン４０２、決定ボタン４０４、表示ボタン４０５、方向選択キー（４０６〜４０９）、ジャンプキー４１３、区切り画像記憶ボタン４１４を含む。また操作部７０の操作による使用者の指示は、前述の指示入力部６０に入力される。
【００７２】
３９は電源制御部で、電池の装着の有無、電池の種類、電池残量の検出を行う。また、必要な電圧を必要な期間、記憶媒体１００を含む各部へ供給する。
【００７３】
３０は電池やＡＣアダプター等からなる電源部である。３３及び３４は電源コネクタであり、電源部３０と電源制御部３９とを接続する。
【００７４】
ここで図６を例に、本実施例における区切り画像の作成について説明する。
【００７５】
図６は、本発明の画像処理装置を適用できる画像撮影装置で撮影時に区切り画像を作成する操作手順である。
【００７６】
ステップ６０１で、画像撮影装置４００の録画／再生切り替えスイッチ４１２を切り替えて撮影モードに設定する。ステップ６０２で、画像撮影装置４００のシャッターボタン４１０を押す。ステップ６０３で、撮影された撮影画像を画像撮影装置４００のＲＡＭに保存する。ステップ６０４でＲＡＭに保存された撮影画像を記憶媒体に書き込む。次に、ステップ６０５で、記憶媒体１００に記憶されている前回撮影された画像（記憶媒体１００に記憶されている画像の中で、最も新しく記憶された画像）の撮影情報を取得する。そしてステップ６０６で、取得した撮影情報を参照して前回撮影された撮影日と今回の撮影日を比較し、前回撮影された画像と今回撮影された画像間で区切りとなるかを判別する。区切りとなると判別された場合、ステップ６０７で撮影日が区切りの条件であることを示した区切り画像を作成する。ステップ６０８で作成された区切り画像を記憶媒体に書き込む。
【００７７】
この操作手順は、撮影画像を記憶媒体に記憶（ステップ６０４）する前に前回撮影された画像撮影情報を取得し（ステップ６０５）、撮影日の比較（ステップ６０６）を行っても良いことは言うまでもない。
【００７８】
また撮影情報の取得等の処理時間を考慮して、画像撮影装置が連写モードに設定されている場合は区切り画像の作成を行わない、つまり図６におけるステップ６０５、６０６、６０７を行わないよう制御してもよい。
【００７９】
なお、本実施例の画像撮影装置ではＤＣＦ（Ｄｅｓｉｇｎ  ｒｕｌｅ  ｆｏｒ  Ｃａｍｅｒａ  Ｆｉｌｅ  ｓｙｓｔｅｍ）に準拠して画像を記憶媒体に記憶する。図７にＤＣＦ規格に準拠して画像が記憶された記憶媒体のディレクトリ構造を示す。
【００８０】
図７のように撮影画像の画像データは、ＤＣＦイメージルートディレクトリであるＤＣＩＭの下位にあるＤＣＦディレクトリに格納される。また画像データはＥｘｉｆ形式のＤＣＦファイルであり、ファイル名は８文字で、１〜４文字目の自由文字、５〜８文字目は“０００１”〜“９９９９”の番号が付けられる。またＥｘｉｆ形式の画像ファイルには、画像が作成された日時（撮影日、撮影時間）等が付加情報として記憶されており、ステップ６０５では、この付加情報を撮影情報として取得している。
【００８１】
ステップ６０８では区切り画像を、撮影画像と同一のＤＣＦディレクトリに書き込むことも可能であるし、撮影画像とは別のディレクトリに書き込むことも可能である。
【００８２】
前者の場合、区切り画像が区切りとなる適切な位置に挿入して記憶されるように、撮影画像と区切り画像のファイル名を変更する。
【００８３】
後者の場合、再生したときに区切り画像が区切りとなる位置に挿入されるように、どの画像の間が区切りとなるかを特定しておく。そのために先頭画像を利用して特定する。
【００８４】
ここで先頭画像とは、図１のＩＭＧ＿００５１．ＪＰＧのように、所定の条件（図１では撮影日の違い）で区分された撮影画像の中で、最初に記憶された撮影画像のことである。したがって区切り画像は、先頭画像の前に挿入される。
【００８５】
先頭画像は他の撮影画像と判別できるよう記憶媒体に記憶される。その方法としては、先頭画像の画像データに付加情報を付けてもよいし、図８のような先頭画像のリストを作成してもよい。
【００８６】
また先頭画像に限らず、所定の条件で区分された撮影画像の中で、最後に記憶された画像（図１ではＩＭＧ＿００５０．ＪＰＧ）を特定しても良い。
【００８７】
なお図６の操作手順では、区切りの有無を判別するための撮影情報として撮影日を用いているが、他の情報でも実現可能である。
【００８８】
例えば撮影日以外の情報として、撮影月、撮影時間、並びに使用者が設定した任意の期間を選択することも可能である。また、ＧＰＳ機能を搭載した画像撮影装置の場合、撮影場所が異なった場合に区切り画像を作成する設定を行える。例えば、各国にまたがる海外旅行に出かけた場合、国境を越えた後に新たに画像を撮影すると、その国名並びに地名などが表示された区切り画像が作成される。
【００８９】
また撮影情報として、画像データに付随する情報（撮影日、撮影時間等）の他に、画像ファイルのファイルサイズ、画像ファイルの種類であってもよいし、公知の技術（例えばシーン検知）で画像を分析した結果であってもよい。
【００９０】
したがって所定の条件は撮影日、撮影月等の違いであってもよいし、ファイルサイズの任意の変化量であってもよいし、画像ファイルの種類の違いであってもよいし、公知の技術で画像を分析した結果の違い（例えばシーンの違い）であってもよい。
【００９１】
図９は、画像撮影装置で区切りの有無を判別する条件を設定する画面の一例であり、図では前回撮影された画像の撮影日と画像撮影装置で設定された日時が異なった場合に、区切り画像を作成することを示したものである。
【００９２】
また画像撮影装置の上ボタン４０８、下ボタン４０９（方向選択キー）を操作することによって、区切り画像を作成するための所定の条件が変更される。
【００９３】
図１０、図１１は記憶媒体に記憶された撮影画像、区切り画像を再生する操作手順の例である。
【００９４】
図１０は、撮影画像と区切り画像とが同一のＤＣＦディレクトリに記憶されている場合の操作手順である。この場合、通常の撮影画像の再生と同様にファイル名順に画像を再生することで、区切り画像が区切りとなる箇所で適切に再生される。まずステップ１００１で記憶媒体から画像をＲＡＭに読み込む。次に、ステップ１００２で画像をＲＡＭから読み出し再生する。
【００９５】
ただし、この操作の際には画像撮影装置は再生モードに設定されているものとする。
【００９６】
図１１は、区切り画像が撮影画像とは別のディレクトリに記憶されている場合の操作手順である。
【００９７】
まず、ステップ１１０１で記憶媒体から撮影画像をＲＡＭに読み込む。次にステップ１１０２で読み込んだ撮影画像が先頭画像か判別する。先頭画像である場合、ステップ１１０３で区切り画像を記憶媒体のディレクトリからＲＡＭに読み込み、ステップ１１０４でＲＡＭから読み出す。一方、ステップ１１０２で読み込んだ撮影画像が先頭画像でないと判別されると、ステップ１１０５で読み込んだ撮影画像をＲＡＭから読み出す。この再生方法によれば、図１のように区切り画像が所定の条件を満たす区切りの位置に挿入される。
【００９８】
ただし、この操作の際には画像撮影装置は再生モードに設定されているものとする。
【００９９】
図１２は、画像撮影装置で区切り画像のレイアウトを設定する画面の一例であり、画像撮影装置で作成される区切り画像のレイアウトを選択する画面で、予め画像撮影装置には区切り画像のフォーマットが保存されている。使用者は適当なレイアウトを選択する、若しくは自分で表示する項目をカスタマイズすることで区切り画像のデザインを決定する。例えば、図１２のように、ＧＰＳ機能が搭載されていない画像撮影装置の場合であっても、撮影日に加えて撮影場所を表示することが可能である。画像撮影装置の左ボタン４０６、右ボタン４０７（方向選択キー）を操作することによって、画像撮影装置に保存された別のレイアウトが画像表示部４０３に表示される。
【０１００】
図１３は、本発明の画像処理装置を適用できる画像撮影装置で、区切り画像のデータサイズを設定する画面の一例である。この図では、画像撮影装置で作成される区切り画像のデータサイズを選択することができ、画像撮影装置の上ボタン４０８、下ボタン４０９（方向選択キー）を操作することによって、区切り画像のサイズが変更される。
【０１０１】
またデフォルトでは区切り画像のサイズはスモールサイズが設定されている。これは一般的に区切り画像は撮影画像に比べて大きなデータサイズが必要でないので、記憶媒体の容量を可能な限り節約することを目的としている。
【０１０２】
したがってこの場合、複数の画像の中から区切り画像を判別する際に、区切り画像が撮影画像よりもサイズが小さいことを利用することが可能となる。
【０１０３】
図１４は、本発明の画像処理装置を適用できる画像撮影装置で、区切り画像間でジャンプ再生する画面の一例である。区切り画像間でジャンプ再生する場合、画像撮影装置の画像表示部４０３に区切り画像１４０１並びにインジケータ１４０２が表示される。画像撮影装置の左ボタン４０６、右ボタン４０７（方向選択キー）を操作することによって、区切り画像の逆送り再生、順送り再生、並びにリピート表示再生が行われる。また、画像撮影装置のジャンプキー４１３を操作することによって、区切り画像の順送り再生並びにリピート表示再生が行われる。
【０１０４】
〔第３の実施例〕
本実施例は、第１の実施例で述べた画像処理装置を画像撮影装置、画像管理装置、画像印刷装置に適用し、任意のタイミングで区切り画像を作成するものである。
【０１０５】
また本実施例での画像撮影装置は、第２の実施例で説明した図５の画像撮影装置で実現可能である。また本実施例での画像管理装置、画像印刷装置は、第１の実施例で述べた画像処理装置を備えているものとする。
【０１０６】
ここで図１５を例に、本実施例における区切り画像の作成について説明する。
【０１０７】
図１５は、本発明の画像処理装置で、任意のタイミングで区切り画像を作成する操作手順の例である。
【０１０８】
また、この区切り画像を作成し、ＲＡＭに保存する手段は後述するフローチャートで使用される。
【０１０９】
まずステップ１５０１で記憶媒体に記憶された撮影画像の撮影情報を取得する。ステップ１５０２で、ステップ１５０１で取得された撮影情報を参照して、図１のＩＭＧ＿０００１．ＪＰＧ〜ＩＭＧ＿０１００．ＪＰＧのような一連の撮影画像の間で、お互いの撮影日が異なる画像が存在するかを調べ、撮影画像間に区切りがあるかを判別する。区切りがある場合はステップ１５０３で、一連の撮影画像間の区切りを特定するために、撮影日ごとの先頭画像を特定する。先頭画像を特定する方法としては、先頭画像の画像データに付加情報を付けてもよいし、また図８のような先頭画像のリストを作成し、これを記憶媒体またはＲＡＭに記憶してもよい。ステップ１５０４で、区切りとした条件（撮影日の違い）が視覚的に把握できるように表示された区切り画像を作成し、ＲＡＭに保存する。最後にステップ１５０５で、すべての先頭画像に対して区切り画像を作成する処理を行ったかをチェックする。
【０１１０】
また先頭画像に限らず、所定の条件で区分された撮影画像の中で、最後に記憶された画像（例えば図１のＩＭＧ＿００５０．ＪＰＧ）を特定しても良い。
【０１１１】
なお、図１５の操作手順では、区切りの有無を判別する条件として撮影日を用いているが、撮影情報から得られる他の情報でもよい。
【０１１２】
例えば第２の実施例と同様に、撮影日以外でも、撮影月、撮影時間、並びに使用者が設定した任意の期間等を条件とすることが可能である。また、ＧＰＳ機能を搭載した画像撮影装置で撮影された画像であれば、撮影場所を条件とすることも可能である。
【０１１３】
また撮影情報は、例えば画像データに付随する情報（撮影日、撮影時間等）であってもよいし、画像ファイルのファイルサイズであってもよいし、画像ファイルの種類であってもよいし、公知の技術で画像を分析した結果であってもよい。公知の技術とは、例えば画像間の輝度値の変化に基づいてシーンの変化を検知する技術がある。
【０１１４】
したがって所定の条件は撮影日、撮影月等の違いであってもよいし、ファイルサイズの任意の変化量であってもよいし、画像ファイルの種類の違いであってもよいし、公知の技術で画像を分析した結果の違い（例えばシーンの違い）であってもよい。
【０１１５】
図１６は本発明の画像処理装置を適用できる画像撮影装置を例に、使用者が任意のタイミングで指示した場合に、図１５の操作手順で区切り画像を作成し、記憶媒体に記憶する操作手順である。
【０１１６】
ステップ１６０１で、画像撮影装置４００の録画／再生切り替えスイッチ４１２により再生モードに設定する。ステップ１６０２で、使用者が画像撮影装置の区切り画像記憶ボタン４１４を押し、区切り画像の記憶を指示する。ステップ１６０３で、図１５の操作手順にしたがって区切り画像を作成し、ＲＡＭに保存する。ステップ１６０４で、ＲＡＭに保存された区切り画像を画像表示部４０３に表示する。ステップ１６０５で、使用者が区切り画像を記憶するか選択する。区切り画像を記憶しない場合は処理を終了し、記憶する場合はステップ１６０６で、ＲＡＭに保存された区切り画像を記憶媒体に書き込む。
【０１１７】
なお本操作手順では作成した区切り画像を表示（ステップ１６０４）して、使用者は区切り画像を記憶するかを選択できる（ステップ１６０５）。しかしこれらの手順を省略して、使用者が指示（ステップ１６０２）すれば、区切り画像を自動的に記憶させることも可能である。
【０１１８】
なお本操作手順は、画像撮影装置だけでなく、画像管理装置にも適用できるものである。
【０１１９】
画像撮影装置に適用した場合、本実施例の画像撮影装置ではＤＣＦに準拠して画像が記憶媒体に記憶され、通常は区切り画像を撮影画像とは別のディレクトリに書き込む。その方法は第２の実施例と同様であり、また再生方法は第２の実施例で説明した図１１の操作手順と同様である。
【０１２０】
一方、図１６の操作手順を画像管理装置に適用する場合は、画像撮影装置に適用した場合と同様に、区切り画像を撮影画像とは別のディレクトリに書き込むこともできるが、区切り画像を撮影画像と同一のディレクトリに書き込むこともできる。
【０１２１】
同一のディレクトリに書き込む場合、ディジタルカメラ等の画像撮影装置や画像印刷装置での再生を考慮すれば、撮影画像、区切り画像はＤＣＦ規格に準拠したファイル名で書き込まれる。その操作手順を図１７に示す。
【０１２２】
図１７は、本発明の画像処理装置を適用できる画像管理装置で、任意のタイミングで区切り画像を作成し、撮影画像と同一のディレクトリにＤＣＦに準拠して記憶するための操作手順である。
【０１２３】
ステップ１７０１で、区切りの有無を判別する対象となる画像が選択される。ステップ１７０２で、区切り画像を記憶させる指示が入力される。ステップ１７０３で、図１５の操作手順にしたがって区切り画像を作成し、ＲＡＭに保存する。ステップ１７０４で、撮影画像並びに区切り画像のファイル名がＤＣＦ規格に準じて変更される。ステップ１７０５で、記憶媒体に記憶する。
【０１２４】
ここで図１７のステップ１７０４の、ファイル名の変更について説明する。
【０１２５】
例えば図７において、撮影画像「ＩＭＧ＿０００１．ＪＰＧ」と「ＩＭＧ＿０００２．ＪＰＧ」の間に区切りがあり、その区切りに区切り画像を記憶する場合、区切り画像のファイル名はＤＣＦに準拠させて「ＩＭＧ＿０００２．ＪＰＧ」とする必要がある。したがって、ファイル名の４桁の番号が「ＩＭＧ＿０００２．ＪＰＧ」〜「ＩＭＧ＿０１００．ＪＰＧ」の撮影画像のファイル名を、ＤＣＦに準拠させて「ＩＭＧ＿０００３．ＪＰＧ」〜「ＩＭＧ＿０１０１．ＪＰＧ」に変更する。
【０１２６】
このようにステップ１７０３で作成したすべての区切り画像に対して同様の処理を行い、区切り画像のファイル名をＤＣＦに準拠させ、それに伴い撮影画像のファイル名を変更する。
【０１２７】
ただし画像管理装置で再生する場合には、第２の実施例で説明した図１０の操作手順と同様に、単にファイル名順に読み出されるので、撮影画像、区切り画像のファイル名はＤＣＦ規格に準拠している必要はない。つまりステップ１７０４において、撮影画像のファイル名を変更する必要はなく、区切り画像に、区切りに挿入されるようなファイル名を付ければよい。そのファイル名としては、例えば図１８のようにファイル名に接尾辞（例えば図１８の「＿Ｍａｒｋ」）を追加しても良い。
【０１２８】
図１９は、図１６の操作手順に従い、画像撮影装置で任意のときに所定のボタンを押して区切り画像を記憶媒体に記憶する画面の一例である。この図は、画像撮影装置４００の録画／再生切り替えスイッチ４１２を切り替えて再生モードに設定し、使用者が区切り画像記憶ボタン４１４を押した場合に、区切り画像を記憶媒体に記憶することを確認するための画面である。画像撮影装置の左ボタン４０６、右ボタン４０７（方向選択キー）を操作することによって、ＯＫボタンまたはキャンセルボタンを選択する。ここで、ＯＫボタンが選択状態で決定ボタン４０４が押下されると、前述した図１６のフローチャートの操作手順にしたがって区切り画像が作成、記憶される。キャンセルボタンが選択状態で決定ボタン４０４が押下されると、区切り画像は記憶されないものとする。
【０１２９】
図２０は本発明の画像処理装置で、図１５の操作手順に従って任意のタイミングで作成された区切り画像を、撮影画像の再生時に再生する操作手順の一例である。この区切り画像を再生する操作手順は後述するフローチャートで使用される。
【０１３０】
まずステップ２００１で記憶媒体から撮影画像をＲＡＭに読み込み、ステップ２００２で読み込んだ撮影画像が先頭画像であるか判別する。先頭画像であると判別された場合は、ステップ２００３でＲＡＭから区切り画像を読み出す。ステップ２００３で先頭画像でないと判別された場合は、ステップ２００４でＲＡＭに保存された撮影画像をＲＡＭから読み出す。
【０１３１】
この操作手順は、画像撮影装置、画像管理装置、画像印刷装置に適用される。
【０１３２】
なお、ステップ２００３、ステップ２００４でＲＡＭから読み出された画像は、図２では不図示の表示装置、表示部等に出力される。
【０１３３】
図２１、図２２、図２３にそれぞれ、使用者がスライドショー表示、一覧表示、インデックス印刷を指示したときに区切り画像を作成して、再生する操作手順を示す。
【０１３４】
使用者からの指示が判別され、その指示がスライドショー表示、一覧表示、インデックス印刷であると、それぞれ図２１、図２２、図２３の操作手順に従う。
【０１３５】
図２１は、使用者が任意のタイミングでスライドショー表示を指示した場合に、図１５の操作手順で区切り画像を作成、ＲＡＭに保存し、図２０の操作手順で区切り画像並びに撮影画像をＲＡＭから読み出してスライドショーを行う操作手順である。
【０１３６】
ステップ２１０１で、スライドショーの対象となる撮影画像が選択される。ステップ２１０２で、スライドショー表示の指示が入力される。ステップ２１０３で、図１５の操作手順にしたがって区切り画像を作成し、ＲＡＭに保存する。ただし画像の撮影情報の取得（図１５のステップ１５０１）は、ステップ２１０１で選択された撮影画像を対象に行なわれる。ステップ２１０４で、図２０の操作手順にしたがって撮影画像並びに区切り画像をＲＡＭから読み出し、ステップ２１０５で読み出した画像を全画面で表示させる。最後に、ステップ２１０６で選択したすべての撮影画像を表示させたかチェックする。
【０１３７】
この操作手順は画像撮影装置、画像管理装置に適用できるものである。ただし、画像撮影装置の場合、録画／再生切り替えスイッチ４１２が再生モードに設定されている場合に行われるものとする。
【０１３８】
図２２は、使用者が任意のタイミングで一覧表示を指示した場合に、図１５の操作手順で区切り画像を作成、ＲＡＭに保存し、図２０の操作手順で区切り画像並びに撮影画像をＲＡＭから読み出して一覧表示を行う操作手順である。
【０１３９】
ステップ２２０１で、一覧表示の対象となる撮影画像が選択される。ステップ２２０２で、一覧表示の指示が入力される。ステップ２２０３で、図１５の操作手順にしたがって区切り画像を作成し、ＲＡＭに保存する。ただし画像の撮影情報の取得（図１５のステップ１５０１）は、ステップ２２０１で選択された撮影画像を対象に行なわれる。ステップ２２０４で、図２０の操作手順にしたがって撮影画像並びに区切り画像をＲＡＭから読み出し、ステップ２２０５で、読み出した画像をレイアウトに配置して表示させる。最後に、ステップ２２０６で選択したすべての撮影画像を表示させたかチェックする。
【０１４０】
この操作手順は画像撮影装置、画像管理装置に適用できるものである。ただし、画像撮影装置の場合、録画／再生切り替えスイッチ４１２が再生モードに設定されている場合に行われるものとする。
【０１４１】
図２３は、使用者が任意のタイミングでインデックス印刷を指示した場合に、図１５の操作手順で区切り画像を作成、ＲＡＭに保存し、図２０の操作手順で区切り画像並びに撮影画像をＲＡＭから読み出してインデックス印刷を行う操作手順である。
【０１４２】
ステップ２３０１で、インデックス印刷の対象となる撮影画像が選択される。ステップ２３０２で、インデックス印刷の指示が入力される。ステップ２３０３で、図１５の操作手順にしたがって区切り画像を作成し、ＲＡＭに保存する。ただし画像の撮影情報の取得（図１５のステップ１５０１）は、ステップ２３０１で選択された撮影画像を対象に行なわれる。ステップ２３０４で、図２０の操作手順にしたがって撮影画像並びに区切り画像をＲＡＭから読み出し、ステップ２３０５で、読み出した画像をレイアウトに配置する。ステップ２３０６で選択したすべての撮影画像を配置したかチェックする。最後にステップ２３０７で、プリンタドライバへレイアウトを転送する。
【０１４３】
この操作手順は、画像撮影装置、画像管理装置並びに画像印刷装置に適用できるものである。ただし画像撮影装置の場合、スイッチ４１２が再生モードに設定されており、画像印刷装置の場合、インデックス印刷が可能な装置であり、インデックス印刷モードに設定されている場合に行われるものとする。
【０１４４】
図２４は、本発明の画像処理装置が適用できる画像管理装置で画像を一覧表示する場合に、撮影日の違いを区切りの条件としたときの画面の一例である。
【０１４５】
フォルダエリア２４０１で選択されたフォルダ（図２４ではフォルダ１−３）内に格納された画像のサムネイルが、ブラウザウィンドウ２４０２に表示される。
【０１４６】
ブラウザウィンドウ２４０２では、撮影日が表示された区切り画像が、撮影日の異なる撮影画像の間に配置されている。
【０１４７】
図２５は、本発明の画像処理装置が適用できる画像管理装置で、画像のインデックス印刷を指示した場合に、撮影日の違いを区切りの条件としたときの画面の一例である。
【０１４８】
スピンボックス２５０１並びに２５０２は、プレビューエリア２５０３に表示されたレイアウトの、配置される画像の列数並びに行数を指定している。またプレビューエリア２５０３では、撮影日が表示された区切り画像が、撮影日の異なる撮影画像の間に配置されている。
【０１４９】
図２６は、本発明の画像処理装置が適用できる画像撮影装置で、区切り画像を表示する処理を設定する画面の一例である。この図では、画像撮影装置で区切り画像を表示する処理として、予めスライドショー表示並びにインデックス印刷が設定されている。画像撮影装置でこれらの処理を実行すると、図２１並びに図２３の操作手順にしたがって区切り画像が表示される。使用者が区切り画像を表示しないように設定した場合、これらの処理は割愛され、通常のスライドショー表示、インデックス印刷を行う。したがって区切り画像は作成されず、撮影画像のみが再生される。
【０１５０】
画像撮影装置の左ボタン４０６、右ボタン４０７（方向選択キー）を操作することによって、区切り画像を再生するかどうかを決定する。また、上ボタン４０８、下ボタン４０９（方向選択キー）を操作することによって、区切り画像を表示するための処理が切り替わる。
【０１５１】
また画像を通常表示する場合や、画像を１枚づつ印刷する場合には、図１５に示した区切り画像を作成する操作を行わないよう制御しても良い。
【０１５２】
〔第４の実施例〕
本実施例は、第１の実施例で述べた画像処理装置を、外部装置から撮影画像を入力可能な画像管理装置に適用し、撮影画像の取り込み時に区切り画像を作成するものである。なお本実施例の画像管理装置は図２の画像処理装置を備えているものとする。
【０１５３】
図２７は本実施例の画像管理装置が適用されうる、コンピュータシステムの構成例を示す図である。
【０１５４】
図２７において２７０１は画像管理装置、２７０２はデータを表示するディスプレイ、２７０３は代表的なポインティングデバイスであるマウス、２７０４はキーボード、そして２７０５はディジタルカメラであり、ＵＳＢ等の通信ケーブルで接続されている。
【０１５５】
図２８は本実施例の画像管理装置の、ソフトウェアとハードウェアを含む画像データ管理システム構成を示す図である。
【０１５６】
図２８において２８０９はハードウェアであり、２８０４はハードウェア２８０９上で動作するオペレーティングシステム（ＯＳ）であり、２８０３はＯＳ２８０４の上で動作するアプリケーションソフトウェアである。なおハードウェア２８０９とＯＳ２８０４を構成するブロックのうち構成要件として当然含まれるが本発明を説明する上で直接必要としていないブロックに関しては図示していない。そのような図示していないブロックの例としてハードウェアではＣＰＵ、メモリ、ＯＳとしてメモリ管理システム等がある。図２８において２８１５はファイルやデータを物理的に格納するハードディスクである。２８０８はＯＳを構成するファイル管理システムであり、アプリケーションソフトウェアがハードウェアを意識せずにファイルの入出力が行えるようにする機能がある。２８１４はファイル管理システム２８０８がハードディスク２８１５の読み書きを行うためのディスクＩＯインターフェースである。２８０７はＯＳを構成する描画管理システムでありアプリケーションソフトウェアがハードウェアを意識せずに描画が行えるようにする機能がある。２８１３は描画システム２８０７がディスプレイ２７０２に描画を行う為のビデオインターフェースである。２８０６はＯＳを構成する入力デバイス管理システムであり、アプリケーションソフトウェアがハードウェアを意識せずにユーザの入力を受け取ることが出来るようにする機能がある。２８１１は入力デバイス管理システム２８０６がキーボード２７０４の入力を受け取るためのキーボードインターフェースである。マウスインターフェース２８１２は入力デバイス管理システム２８０６がマウス２７０３から入力を受け取ることが出来るようにするためのマウスインターフェースである。２７０５はディジタルカメラであり、本例ではＵＳＢケーブルを用いて接続されている。これは、２８１０のＵＳＢインターフェース部を介して２８０５外部インターフェース管理システムが管理する。２８０２通信モジュール部は、この外部インターフェース管理システムと通信を行う。この通信モジュールによりカメラから撮影画像のデータが取り込まれ、アプリケーションソフトウェア内の区切り画像作成プログラム２８０１が、区切り画像を作成する。
【０１５７】
なお、区切り画像作成プログラム２８０１は本発明の画像処理装置で読出されるものであり、これを読出して後述する図２９の操作手順を実行する。
【０１５８】
ここで図２９を例に、本実施例における区切り画像の作成について説明する。
【０１５９】
図２９は、本発明の画像処理装置を適用できる画像管理装置で撮影画像の取り込み時に区切り画像を作成する操作手順である。
【０１６０】
まずステップ２９０１で、取り込む画像が選択される。ステップ２９０２で、画像管理装置へ画像を取り込む。ステップ２９０３で、図１５の操作手順にしたがって区切り画像を作成し、ＲＡＭに保存する。ただし、画像の撮影情報の取得（図１５のステップ１５０１）は、取り込まれた画像から取得するものとする。ステップ２９０４で、撮影画像並びに区切り画像のファイル名をＤＣＦ規格に準じて変更する。ステップ２９０５で、撮影画像並びに区切り画像を記憶媒体に記憶する。最後にステップ２９０６で、ステップ２９０１において選択されたすべての撮影画像を記憶したかチェックする。
【０１６１】
なお、ステップ２９０４で撮影画像並びに区切り画像のファイル名をＤＣＦに準拠させる方法は、図１７のステップ２７０４と同様である。
【０１６２】
なお、以上説明した実施例は、本発明の実現手段としての一例であり、本発明が適用される装置の構成や各種条件によって適宜修正または変更されるべきものであり、本発明は以上の実施例に限定されるものではない。
【０１６３】
また本発明の目的は、区切り画像を作成するプログラムのプログラムコードを記憶した記憶媒体をシステム或いは装置に供給し、そのシステム或いは装置のコンピュータ（またはＣＰＵやＭＰＵ）が記憶媒体からプログラムコードを読出して実行しても、達成される。
【０１６４】
この場合、記憶媒体から読み出されたプログラムコード自体が前述した実施例の機能を実現することになり、プログラムコード自体及びそのプログラムコードを記憶した記憶媒体は本発明を構成することになる。
【０１６５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【０１６６】
また、記憶媒体から読み出されたプログラムコードの指示に基づき、コンピュータ上で稼動しているＯＳなどが実際の処理の一部または全部を行い、その処理によって上記実施例の機能が実現される場合も含まれることは言うまでもない。
【０１６７】
さらに、記憶媒体から読み出されたプログラムコードが、コンピュータに挿入された機能拡張ボードやコンピュータに接続された機能拡張ユニットに備わるメモリに書き込まれるようにしてもよい。そして、その後、そのプログラムコードの指示に基づき、その機能拡張ボードや機能拡張ユニットに備わるＣＰＵ等が実際の処理の一部または全部を行い、その処理によって前述した実施例の機能が実現される場合も含まれることは言うまでもない。
【０１６８】
以上説明してきたように、本発明は、一連の撮影画像間で撮影日が異なる等の所定の条件を満たす区切りがあるかを判断する。そして区切りがある場合、区切りの意味が視覚的に把握できるように表示された区切り画像が、区切りに挿入されるように作成される。
【０１６９】
つまり、従来のように使用者に区切り前後の撮影画像の比較をさせて区切りを認識させるのではないので、区切りの位置をより明確に示すことができる。
【０１７０】
また撮影情報に関する項目等を一枚の画像で示すことが出来るので、区切りの意味を表示する表示部が従来に比べて大きくなる。したがって使用者は、区切りの意味もより明確に把握することができる。
【０１７１】
また表示部が大きいことで表示できる項目が増え、画像の撮影情報だけでなく、例えば区切り前後の画像間の関係等も表示できるようになる。
【０１７２】
また従来のように、撮影画像に視覚的な影響を与えることなく、区切りの位置と区切りの意味を示すことができるという効果もある。
【図面の簡単な説明】
【０１７３】
【図１】本発明で作成される区切り画像の一例を示す図である。
【図２】本発明の画像処理装置の構成例を示す図である。
【図３】本発明の画像処理装置で区切り画像を作成する操作手順である。
【図４】本発明の画像処理装置を適用できる画像撮影装置の外観構成例を示す図である。
【図５】本発明の画像処理装置を適用できる画像撮影装置の構成例を示す図である。
【図６】本発明の画像処理装置を適用できる画像撮影装置で撮影時に区切り画像を作成し、記憶媒体に記憶する操作手順である。
【図７】ＤＣＦ規格に準拠して画像が記憶された記憶媒体のディレクトリ構造を示す図である。
【図８】先頭画像リストの一例を示す図である。
【図９】本発明の画像処理装置を適用できる画像撮影装置で区切り画像を作成する条件を設定する画面の一例を示す図である。
【図１０】撮影画像と区切り画像とが記憶媒体で同一のＤＣＦディレクトリに記憶されている場合の、区切り画像を再生する操作手順である。
【図１１】撮影画像と区切り画像とが記憶媒体で別のＤＣＦディレクトリに記憶されている場合の、区切り画像を再生する操作手順である。
【図１２】本発明の画像処理装置を適用できる画像撮影装置で区切り画像のレイアウトを設定する画面の一例である。
【図１３】本発明の画像処理装置を適用できる画像撮影装置で区切り画像のサイズを設定する画面の一例である。
【図１４】本発明の画像処理装置を適用できる画像撮影装置で、区切り画像間のジャンプ再生をする画面の一例である。
【図１５】本発明の画像処理装置で、任意のタイミングで区切り画像を作成する操作手順の一例である。
【図１６】本発明の画像処理装置を適用できる画像撮影装置で所定のボタンを押した場合に区切り画像を記憶する操作手順の一例である。
【図１７】本発明の画像処理装置を適用できる画像管理装置で任意のタイミングで区切り画像を記憶する操作手順の一例である。
【図１８】本発明で作成される区切り画像のファイル名の一例である。
【図１９】本発明の画像処理装置を適用できる画像撮影装置で所定のボタンを押した場合に区切り画像を記憶する画面の一例である。
【図２０】本発明の画像処理装置で、使用者が任意のタイミングで作成した区切り画像を再生する操作手順の一例である。
【図２１】本発明の画像処理装置で、スライドショーを指示した場合に区切り画像を作成し、スライドショー表示させる操作手順の一例である。
【図２２】本発明の画像処理装置で、一覧表示を指示した場合に区切り画像を作成し、一覧表示させるための操作手順の一例である。
【図２３】本発明の画像処理装置で、インデックス印刷を指示した場合に区切り画像を作成し、インデックス印刷をさせる操作手順の一例である。
【図２４】本発明の画像処理装置が適用できる画像管理装置で、画像を一覧表示する場合に区切り画像を作成、表示した画面の一例である。
【図２５】本発明の画像処理装置が適用できる画像管理装置で、画像をインデックス印刷する場合に区切り画像を作成、表示した画面の一例である。
【図２６】本発明の画像処理装置が適用できる画像撮影装置で、区切り画像を表示する処理を設定する画面の一例である。
【図２７】本発明の画像処理装置が適用できる画像管理装置が実施されうる、コンピュータシステムの構成例を示す図である。
【図２８】本発明の画像処理装置が適用できる画像管理装置の、ソフトウェアとハードウェアを含む画像データ管理システム構成を示す図である。
【図２９】本発明の画像処理装置を適用できる画像管理装置で、撮影画像の取り込み時に区切り画像を作成する操作手順の一例である。
【符号の説明】
【０１７４】
１６  圧縮／伸張部
２４  画像処理部
３２  ＲＡＭ
５０  システム制御部
５２  システムメモリ
５６  不揮発性メモリ
１００  記憶媒体
【図１】
2008244778.tif 000003
【図２】
2008244778.tif 000004
【図３】
2008244778.tif 000005
【図４】
2008244778.tif 000006
【図５】
2008244778.tif 000007
【図６】
2008244778.tif 000008
【図７】
2008244778.tif 000009
【図８】
2008244778.tif 000010
【図９】
2008244778.tif 000011
【図１０】
2008244778.tif 000012
【図１１】
2008244778.tif 000013
【図１２】
2008244778.tif 000014
【図１３】
2008244778.tif 000015
【図１４】
2008244778.tif 000016
【図１５】
2008244778.tif 000017
【図１６】
2008244778.tif 000018
【図１７】
2008244778.tif 000019
【図１８】
2008244778.tif 000020
【図１９】
2008244778.tif 000021
【図２０】
2008244778.tif 000022
【図２１】
2008244778.tif 000023
【図２２】
2008244778.tif 000024
【図２３】
2008244778.tif 000025
【図２４】
2008244778.tif 000026
【図２５】
2008244778.tif 000027
【図２６】
2008244778.tif 000028
【図２７】
2008244778.tif 000029
【図２８】
2008244778.tif 000030
【図２９】
2008244778.tif 000031